(57)【要約】【課題】傾斜磁場コイルに電流を供給するケーブルを固定するための固定部品を大型化することなく、ケーブルに生じる振動を低減する。【解決手段】ＭＲＩ装置１００が、低電位側導電体と高電位側導電体とを備える。低電位側導電体は、傾斜磁場電源２０の低電位側端子に接続されたケーブルと傾斜磁場コイル１３の低電位側端子とを接続する。高電位側導電体は、傾斜磁場電源２０の高電位側端子に接続されたケーブルと傾斜磁場コイル１３の高電位側端子とを接続する。そして、低電位側導電体及び高電位側導電体は、絶縁体を挟んで互いに一体化されたうえで傾斜磁場コイル１３に固定される。【選択図】図１
2011143033.tif 000002
【特許請求の範囲】
【請求項１】
被検体が置かれる空間に静磁場を発生させる静磁場発生部と、
前記静磁場内に傾斜磁場を発生させる傾斜磁場コイルと、
前記傾斜磁場コイルに電流を供給する傾斜磁場電源と、
前記傾斜磁場電源の低電位側端子に接続されたケーブルと前記傾斜磁場コイルの低電位側端子とを接続する第１の導電体と、
前記傾斜磁場電源の高電位側端子に接続されたケーブルと前記傾斜磁場コイルの高電位側端子とを接続する第２の導電体とを備え、
前記第１の導電体及び前記第２の導電体は、絶縁体を挟んで互いに一体化されたうえで前記傾斜磁場コイルに固定されていることを特徴とする磁気共鳴イメージング装置。
【請求項２】
前記第１の導電体及び前記第２の導電体それぞれは、前記傾斜磁場コイルに固定された状態で、少なくとも一部が前記静磁場の磁束に沿うように形成されていることを特徴とする請求項１に記載の磁気共鳴イメージング装置。
【請求項３】
前記第１の導電体及び前記第２の導電体は、それぞれ平板状に形成され、互いの平面部が対向し、かつ、対向する部分の面積が最も大きくなるように配置されていることを特徴とする請求項１又は２に記載の磁気共鳴イメージング装置。
【請求項４】
前記第１の導電体及び前記第２の導電体と一体化され、各導電体を一体化したうえで前記傾斜磁場コイルに固定するための固定部をさらに備えたことを特徴とする請求項１、２又は３に記載の磁気共鳴イメージング装置。
【発明の詳細な説明】
【技術分野】
【０００１】
本発明は、磁気共鳴イメージング装置に関する。
【背景技術】
【０００２】
磁気共鳴イメージング装置は、静磁場内に置かれた被検体に高周波磁場を印加し、高周波磁場の印加により被検体から発せられる磁気共鳴信号をもとに被検体内の画像を生成する装置である。かかる磁気共鳴イメージング装置は、磁気共鳴信号に位置情報を付加するため、静磁場内に傾斜磁場を発生させる傾斜磁場コイルを備える。傾斜磁場コイルは、傾斜磁場電源から供給されるパルス電流を用いて傾斜磁場を発生させる。
【０００３】
ここで、傾斜磁場電源によって供給されるパルス電流は、ケーブルを介して傾斜磁場コイルに伝達される。このケーブルは、静磁場内に配置されるためパルス電流が流れるとローレンツ力が作用して振動する。かかるケーブルの振動は、疲労によるケーブルの破断や騒音、装置全体の振動の原因となる。そのため、例えば、ケーブルは、専用の固定部品を用いて、静磁場を発生させるための静磁場磁石が収容される真空容器や、傾斜磁場コイルが収容される真空容器に固定される（例えば、特許文献１参照）。
【０００４】
図９は、従来の固定部品の一例を示す図である。図９は、概略円筒形状に形成された傾斜磁場コイルの端部を示している。図９に示すように、傾斜磁場コイル１に電流を供給するケーブル２は、一方の端部が傾斜磁場コイルの端子３に接続され、他方の端部が傾斜磁場電源（図示せず）に接続される。そして、例えば、ケーブル２は、クランプ等の固定ブロック４によって傾斜磁場コイル１の端部に固定され、さらに固定ブロック５によって静磁場磁石６に固定される。
【先行技術文献】
【特許文献】
【０００５】
【特許文献１】特開２００２−８５３７０号公報
【発明の概要】
【発明が解決しようとする課題】
【０００６】
しかしながら、近年では、撮像の高速化や画質の向上などを目的として、より強度が高い傾斜磁場が用いられるようになっており、それにともなってケーブルに生じる振動も増大している。このような振動の増大に対する対応策としては、例えば、前述した固定部品を大型化することによって、さらに強固にケーブルを固定することが考えられる。
【０００７】
しかし、固定部品を大型化すると、磁気共鳴イメージング装置が大型化するという課題や、製造コストが増大するという課題などが生じる。また、固定部品を大型化することでケーブルをより強固に固定すればするほど、ケーブルの振動が装置全体に伝わることになり、それにともなって騒音が増大するという課題も生じる。
【０００８】
そこで、ケーブルの固定部品を大型化することなく、ケーブルに生じる振動を低減することが求められている。
【０００９】
本発明は、上記に鑑みてなされたものであって、傾斜磁場コイルに電流を供給するケーブルを固定するための固定部品を大型化することなく、ケーブルに生じる振動を低減することができる磁気共鳴イメージング装置を提供することを目的とする。
【課題を解決するための手段】
【００１０】
上述した課題を解決し、目的を達成するために、請求項１記載の本発明は、磁気共鳴イメージング装置が、被検体が置かれる空間に静磁場を発生させる静磁場発生部と、前記静磁場内に傾斜磁場を発生させる傾斜磁場コイルと、前記傾斜磁場コイルに電流を供給する傾斜磁場電源と、前記傾斜磁場電源の低電位側端子に接続されたケーブルと前記傾斜磁場コイルの低電位側端子とを接続する第１の導電体と、前記傾斜磁場電源の高電位側端子に接続されたケーブルと前記傾斜磁場コイルの高電位側端子とを接続する第２の導電体とを備えており、前記第１の導電体及び前記第２の導電体は、絶縁体を挟んで互いに一体化されたうえで前記傾斜磁場コイルに固定されていることを特徴とする。
【発明の効果】
【００１１】
請求項１記載の本発明によれば、傾斜磁場コイルに電流を供給するケーブルを固定するための固定部品を大型化することなく、ケーブルに生じる振動を低減することができるという効果を奏する。
【図面の簡単な説明】
【００１２】
【図１】図１は、本実施例に係るＭＲＩ装置の構成を示すブロック図である。
【図２】図２は、傾斜磁場コイルの周辺に発生する静磁場の様子を示す図である。
【図３】図３は、傾斜磁場コイルとケーブルとの接続部分を示す斜視図である。
【図４】図４は、ケーブル接続部の外観を示す斜視図である。
【図５】図５は、低電位側導電体、高電位側導電体及び導電体固定部の外観を示す斜視図である。
【図６】図６は、低電位側導電体及び高電位側導電体の形状と静磁場の磁束との関係を示す図である。
【図７】図７は、低電位側導電体及び高電位側導電体と静磁場の磁束との交差部分を示す図（１）である。
【図８】図８は、低電位側導電体及び高電位側導電体と静磁場の磁束との交差部分を示す図（２）である。
【図９】図９は、従来の固定部品の一例を示す図である。
【発明を実施するための形態】
【００１３】
以下に、本発明に係る磁気共鳴イメージング装置の実施例を図面に基づいて詳細に説明する。なお、以下では、磁気共鳴イメージング装置をＭＲＩ（Magnetic  Resonance  Imaging）装置と呼ぶ。
【実施例】
【００１４】
まず、本実施例に係るＭＲＩ装置の構成について説明する。図１は、本実施例に係るＭＲＩ装置の構成を示すブロック図である。図１に示すＭＲＩ装置１００は、傾斜磁場コイルが真空容器内に封入されて配置された、いわゆる静音化型のＭＲＩ装置である。
【００１５】
図１に示すように、ＭＲＩ装置１００は、架台１０、傾斜磁場電源２０、送信部３０、受信部４０、シーケンス制御部５０及び計算機システム６０を有する。また、架台１０は、静磁場発生部１１、真空容器１２、傾斜磁場コイル１３、ＲＦコイル１４、寝台天板１５を有する。
【００１６】
静磁場発生部１１は、概略円筒状に形成されており、筒内部に形成された撮像空間Ｓに静磁場を発生させる。この静磁場発生部１１は、概略円筒状に形成された真空容器と、真空容器内に収納された超電導磁石を有している。超電導磁石は、図示していない静磁場電源から供給される電流により、撮像空間Ｓに静磁場を発生させる。
【００１７】
真空容器１２は、概略円筒状に形成され、静磁場発生部１１の内側に配置されている。かかる真空容器１２において、円筒の外壁と内壁との間には密閉された内部空間が形成されている。この内部空間は、診断時には、図示していない真空ポンプによって実質的な真空となるように調整される。
【００１８】
傾斜磁場コイル１３は、概略円筒状に形成され、真空容器１２の内部空間に配置されている。この傾斜磁場コイル１３は、互いに直交するｘ，ｙ，ｚの各軸に対応する３つのコイルを含んでいる。これら３つのコイルは、傾斜磁場電源２０から供給される電流により、ｘ，ｙ，ｚの各軸に沿って磁場強度が変化する傾斜磁場を撮像空間Ｓに発生させる。
【００１９】
ＲＦコイル１４は、傾斜磁場コイル１３の内側で被検体Ｐに対向するように配設されている。このＲＦコイル１４は、送信部３０から高周波パルスの供給を受けて被検体Ｐに高周波磁場を印加する。また、ＲＦコイル１４は、励起によって被検体Ｐの水素原子核から放出される磁気共鳴信号を受信する。
【００２０】
寝台天板１５は、診断時に被検体Ｐを撮像空間Ｓ内へ移動する。この寝台天板１５は、図示していない寝台装置によって駆動される。
【００２１】
傾斜磁場電源２０は、シーケンス制御部５０によって駆動され、傾斜磁場コイル１３にパルス電流を供給する。なお、傾斜磁場電源２０は、図示していないケーブルを介して、傾斜磁場コイル１３にパルス電流を供給する。このケーブルは、真空容器１２を貫通して設けられている。
【００２２】
送信部３０は、シーケンス制御部５０によって駆動され、ＲＦコイル１４にＲＦパルスを送信する。
【００２３】
受信部４０は、シーケンス制御部５０によって駆動され、ＲＦコイル１４によって受信された磁気共鳴信号を検出し、検出した磁気共鳴信号をデジタル化して得られる生データをシーケンス制御部５０に送信する。
【００２４】
シーケンス制御部５０は、計算機システム６０による制御のもと、傾斜磁場電源２０、送信部３０及び受信部４０を駆動することで被検体Ｐのスキャンを行う。また、シーケンス制御部５０は、スキャンを行った結果として受信部４０から生データが送信されると、その生データを計算機システム６０に送信する。
【００２５】
計算機システム６０は、ＭＲＩ装置１００全体を制御する。例えば、撮像に関する制御としては、計算機システム６０は、操作者から入力された撮像条件に基づいてシーケンス制御部５０にスキャンを実行させる。そして、スキャンの結果としてシーケンス制御部５０から生データが送信されると、その生データから画像を再構成する。
【００２６】
以上、本実施例に係るＭＲＩ装置１００の構成について説明した。このような構成によれば、傾斜磁場コイル１３の周辺には、静磁場発生部１１によって静磁場が発生する。
【００２７】
図２は、傾斜磁場コイル１３の周辺に発生する静磁場を示す図である。図２に示すように、静磁場発生部１１によって発生する静磁場の磁束Ｂ0は、傾斜磁場コイル１３の内側ではコイルの軸方向に沿って形成されるが、傾斜磁場コイル１３の端部では、コイルの外側に向かって放射状に広がるように形成される。従来は、かかる静磁場の磁束Ｂ0が傾斜磁場コイル１３に電流を供給するケーブルに交差することによって、ケーブルにローレンツ力が作用して振動が生じていた。
【００２８】
そこで、本実施例では、ＭＲＩ装置１００が、傾斜磁場電源２０の低電位側端子に接続されたケーブルと傾斜磁場コイル１３の低電位側端子とを接続する第１の導電体を備える。また、ＭＲＩ装置１００は、傾斜磁場電源２０の高電位側端子に接続されたケーブルと傾斜磁場コイル１３の高電位側端子とを接続する第２の導電体を備える。そして、第１の導電体及び第２の導電体は、絶縁体を挟んで互いに一体化されたうえで傾斜磁場コイル１３に固定される。
【００２９】
ここで、第１の導電体及び第２の導電体には逆方向に電流が流れるので、静磁場の磁束Ｂ0によって各導電体に働くローレンツ力も逆方向に作用する。さらに、第１の導電体及び第２の導電体は絶縁体を挟んで一体化されているので、各導電体に作用するローレンツ力が相殺されて打ち消される。したがって、本実施例によれば、傾斜磁場コイルに電流を供給するケーブルを固定するための固定部品を大型化することなく、ケーブルに生じる振動を低減することが可能になる。以下では、かかる第１の導電体及び第２の導電体について具体的に説明する。
【００３０】
図３は、傾斜磁場コイル１３とケーブルとの接続部分を示す斜視図である。図３は、傾斜磁場コイル１３の端部を示している。図３に示すように、傾斜磁場コイル１３の端部には、傾斜磁場電源２０から供給されるパルス電流を入力するための低電位側端子１３ａ及び高電位側端子１３ｂがそれぞれ設けられている。そして、低電位側端子１３ａ及び高電位側端子１３ｂには、第１の導電体及び第２の導電体を含むケーブル接続部７０が取り付けられている。
【００３１】
ケーブル接続部７０は、一方の端部が低電位側端子１３ａおよび高電位側端子１３ｂに固定され、他方の端部がケーブル８１およびケーブル８２に接続されている。ここで、ケーブル８１は、傾斜磁場電源２０の低電位側端子に接続されている。また、ケーブル８２は、傾斜磁場電源２０の高電位側端子に接続されている。
【００３２】
なお、図３には示していないが、傾斜磁場コイル１３の端部には、傾斜磁場コイル１３が有する３つのコイルごとに、低電位側端子１３ａ及び高電位側端子１３ｂの組がそれぞれ設けられる。また、ケーブル接続部７０も、３つのコイルごとに設けられる。
【００３３】
図４は、ケーブル接続部７０の外観を示す斜視図である。図４に示すように、ケーブル接続部７０は、第１の導電体である低電位側導電体７１、第２の導電体である高電位側導電体７２、導電体固定部７３、熱収縮チューブ７４〜７６を有する。
【００３４】
低電位側導電体７１は、傾斜磁場電源２０の低電位側端子に接続されたケーブル８１と、傾斜磁場コイル１３の低電位側端子１３ａとを接続する。また、高電位側導電体７２は、傾斜磁場電源２０の高電位側端子に接続されたケーブル８２と、傾斜磁場コイル１３の高電位側端子１３ｂとを接続する。
【００３５】
導電体固定部７３は、絶縁体で形成された部材であり、ケーブル接続部７０が傾斜磁場コイル１３に取り付けられる際に、低電位側導電体７１及び高電位側導電体７２とともに傾斜磁場コイルに固定される。
【００３６】
熱収縮チューブ７４〜７６は、それぞれ、絶縁体で形成されている。熱収縮チューブ７４は、低電位側導電体７１を被覆することで、低電位側導電体７１を電気的に絶縁する。熱収縮チューブ７５は、高電位側導電体７２を被覆することで、高電位側導電体７２を電気的に絶縁する。
【００３７】
熱収縮チューブ７６は、低電位側導電体７１と高電位側導電体７２との間に導電体固定部７３を挟んだ状態で、低電位側導電体７１、高電位側導電体７２及び導電体固定部７３を被覆している。この熱収縮チューブ７６によって、低電位側導電体７１及び高電位側導電体７２が、熱収縮チューブ７４、熱収縮チューブ７５及び導電体固定部７３からなる絶縁層を挟んで互いに一体化される。
【００３８】
なお、本実施例１では、低電位側導電体７１と高電位側導電体７２とを絶縁するための絶縁手段として熱収縮チューブ７４〜７６を用いる場合について説明するが、各導電体を絶縁するための絶縁手段はこれに限られない。例えば、熱収縮チューブの代わりに、各導電体にガラス繊維を巻きつけ、そのガラス繊維にエポキシなどの樹脂を含浸させることで形成した絶縁材構造を用いてもよい。
【００３９】
図５は、低電位側導電体７１、高電位側導電体７２及び導電体固定部７３の外観を示す斜視図である。図５に示すように、低電位側導電体７１、高電位側導電体７２及び導電体固定部７３は、それぞれ、細長い平板状に形成されている。
【００４０】
低電位側導電体７１は、一方の端部が平板に垂直な方向に折り曲げられており、折り曲げられた端部に孔７１ａが形成されている。この孔７１ａは、ケーブル接続部７０が傾斜磁場コイル１３に取り付けられる際に、ネジ又はボルトなどの固定部材で傾斜磁場コイル１３の低電位側端子１３ａに固定される。また、低電位側導電体７１の他方の端部には、孔７１ｂが形成されている。この孔７１ｂは、低電位側導電体７１とケーブル８１とを接続する際に、ネジ又はボルトなどの固定部材でケーブル８１の端子に接続される。
【００４１】
また、高電位側導電体７２は、一方の端部が低電位側導電体７１の端部とは反対の方向に折り曲げられており、折り曲げられた端部に孔７２ａが形成されている。この孔７２ａは、ケーブル接続部７０が傾斜磁場コイル１３に取り付けられる際に、ネジ又はボルトなどの固定部材で傾斜磁場コイル１３の高電位側端子１３ｂに固定される。また、高電位側導電体７２の他方の端部には、孔７２ｂが形成されている。この孔７２ｂは、高電位側導電体７２とケーブル８２とを接続する際に、ネジ又はボルトなどの固定部材でケーブル８２の端子に接続される。
【００４２】
ここで、低電位側導電体７１及び高電位側導電体７２は、それぞれ、少なくとも一部が静磁場の磁束Ｂ0に沿うように形成されている。例えば、図５に示す例では、低電位側導電体７１及び高電位側導電体７２は、それぞれ、傾斜磁場コイル１３に接続された際に傾斜磁場コイル１３に近い側に位置する範囲Ｒの部分が、静磁場の磁束Ｂ0に沿っている。
【００４３】
図６は、低電位側導電体７１及び高電位側導電体７２の形状と静磁場の磁束Ｂ0との関係を示す図である。図６に示すように、低電位側導電体７１及び高電位側導電体７２それぞれは、傾斜磁場コイル１３に固定された状態で、範囲Ｒの部分が静磁場の磁束Ｂ0に沿って湾曲するように形成されている。これにより、低電位側導電体７１及び高電位側導電体７２にパルス電流が流れたとしても、各導電体にはローレンツ力が作用しないようになる。
【００４４】
なお、図６に示すように、低電位側導電体７１及び高電位側導電体７２において、範囲Ｒを除いた部分には静磁場の磁束Ｂ0が交差することになる。しかし、低電位側導電体７１及び高電位側導電体７２には逆方向に電流が流れるので、静磁場の磁束Ｂ0によって各導電体に働くローレンツ力も逆方向に作用する。さらに、低電位側導電体７１及び高電位側導電体７２は、絶縁層を挟んで互いに一体化されているので、各導電体に作用するローレンツ力が相殺されて打ち消される。
【００４５】
図７及び８は、低電位側導電体７１及び高電位側導電体７２と静磁場の磁束Ｂ0との交差部分を示す図である。図７及び８は、低電位側導電体７１及び高電位側導電体７２と静磁場の磁束Ｂ0とが交差する位置におけるケーブル接続部７０の断面を示している。ここで、低電位側導電体７１及び高電位側導電体７２は、互いの平面部が対向し、かつ、対向する部分の面積が最も大きくなるように配置されている。
【００４６】
そして、図７に示すように、低電位側導電体７１と静磁場の磁束Ｂ0とが交差する位置では、パルス電流ＩLが流れた場合に、磁束Ｂ0の垂直成分ＢLにより、高電位側導電体７２に向かう方向のローレンツ力ＦLが生じる。一方、低電位側導電体７１と静磁場の磁束Ｂ0とが交差する位置では、パルス電流ＩLとは逆方向のパルス電流ＩHが流れた場合に、磁束Ｂ0の垂直成分ＢHにより、低電位側導電体７１に向かう方向のローレンツ力ＦHが生じる。
【００４７】
一方、パルス電流が負方向に流れる場合には、図８に示すように、低電位側導電体７１と静磁場の磁束Ｂ0とが交差する位置では、パルス電流ＩLが流れた場合に、磁束Ｂ0の垂直成分ＢLにより、高電位側導電体７２から離れる方向のローレンツ力ＦLが生じる。一方、低電位側導電体７１と静磁場の磁束Ｂ0とが交差する位置では、パルス電流ＩLとは逆方向のパルス電流ＩHが流れた場合に、磁束Ｂ0の垂直成分ＢHにより、低電位側導電体７１から離れる方向のローレンツ力ＦHが生じる。
【００４８】
ここで、ローレンツ力ＦHとローレンツ力ＦLとは、力の向きが逆であり、かつ、力の大きさが同じであるので、互いに相殺されて打ち消される。したがって、低電位側導電体７１及び高電位側導電体７２は、パルス電流が流れても相対的な位置関係が変化しない。この結果、低電位側導電体７１及び高電位側導電体７２に接続されたケーブルに生じる振動が低減する。また、低電位側導電体７１及び高電位側導電体７２は、互いの平面部が対向し、かつ、対向する部分の面積が最も大きくなるように配置されているので、ローレンツ力が効率よく相殺される。
【００４９】
図５にもどって、導電体固定部７３は、低電位側導電体７１及び高電位側導電体７２と同じ形状に形成され、一方の端部に、平板に沿う方向に突出した突部７３ａを有する。そして、突部７３ａの先端部には、孔７３ｂが形成されている。この孔７３ｂは、低電位側導電体７１及び高電位側導電体７２が傾斜磁場コイル１３に取り付けられる際に、ネジ又はボルトなどの固定部材によって傾斜磁場コイルの端部に固定される。すなわち、導電体固定部７３は、低電位側導電体７１及び高電位側導電体７２と一体化されたうえで、傾斜磁場コイル１３に固定される。
【００５０】
例えば、静磁場の分布が不均一である場合や、低電位側導電体７１及び高電位側導電体７２の取り付け位置に誤差がある場合には、低電位側導電体７１に作用するローレンツ力の大きさと高電位側導電体７２に作用するローレンツ力との大きさが同じにならない場合もある。そのような場合には、ローレンツ力が完全に打ち消されず、その結果、低電位側導電体７１及び高電位側導電体７２に微少な振動が生じる可能性がある。このような場合でも、傾斜磁場コイル１３に固定された導電体固定部７３が低電位側導電体７１及び高電位側導電体７２と一体化されることで、各導電体に生じる振動が抑制されるので、ケーブルに生じる振動を低減することができる。
【００５１】
上述してきたように、本実施例では、低電位側導電体７１は、傾斜磁場電源２０の低電位側端子に接続されたケーブル８１と、傾斜磁場コイル１３の低電位側端子１３ａとを接続する。また、高電位側導電体７２は、傾斜磁場電源２０の高電位側端子に接続されたケーブル８２と、傾斜磁場コイル１３の高電位側端子１３ｂとを接続する。そして、低電位側導電体７１及び高電位側導電体７２は、絶縁体を挟んで互いに一体化されたうえで傾斜磁場コイル１３に固定されている。この構成によれば、低電位側導電体７１及び高電位側導電体７２に作用するローレンツ力が相殺される。したがって、本実施例によれば、傾斜磁場コイルに電流を供給するケーブルを固定するための固定部品を大型化することなく、ケーブルに生じる振動を低減することができる。
【００５２】
また、本実施例では、低電位側導電体７１及び高電位側導電体７２それぞれは、傾斜磁場コイル１３に固定された状態で、少なくとも一部が静磁場の磁束Ｂ0に沿って湾曲するように形成されている。したがって、本実施例によれば、低電位側導電体７１及び高電位側導電体７２の一部にはローレンツ力が作用しないようになるので、ケーブルに生じる振動をより小さくすることができる。
【００５３】
また、本実施例では、低電位側導電体７１及び高電位側導電体７２は、それぞれ平板状に形成され、互いの平面部が対向し、かつ、対向する部分の面積が最も大きくなるように配置される。したがって、本実施例によれば、低電位側導電体７１及び高電位側導電体７２に作用するローレンツ力が効率よく相殺されるので、ケーブルに生じる振動をさらに小さくすることができる。
【００５４】
また、本実施例では、導電体固定部７３は、低電位側導電体７１及び高電位側導電体７２と一体化され、各導電体を一体化したうえで傾斜磁場コイル１３に固定する。したがって、静磁場の分布が不均一である場合や、低電位側導電体７１及び高電位側導電体７２の取り付け位置に誤差がある場合でも、各導電体に生じる振動が抑制され、ケーブルに生じる振動を低減することができる。
【００５５】
さらに、本実施例によれば、ケーブルに生じる振動を低減することができるので、ケーブルの耐久性を向上させることができる。また、本実施例によれば、傾斜磁場コイル１３が収容される真空容器１２において、ケーブルが貫通する箇所が少なくなるので、真空の漏れを小さくすることができる。
【符号の説明】
【００５６】
１００    ＭＲＩ装置
１１    静磁場発生部
１３    傾斜磁場コイル
１３ａ    低電位側端子
１３ｂ    高電位側端子
２０    傾斜磁場電源
７０    ケーブル接続部
７１    低電位側導電体（第１の導電体）
７２    高電位側導電体（第２の導電体）
８１，８２    ケーブル
【図１】
2011143033.tif 000003
【図２】
2011143033.tif 000004
【図３】
2011143033.tif 000005
【図４】
2011143033.tif 000006
【図５】
2011143033.tif 000007
【図６】
2011143033.tif 000008
【図７】
2011143033.tif 000009
【図８】
2011143033.tif 000010
【図９】
2011143033.tif 000011